(57)【要約】      （修正有）【課題】磁気テープカートリッジを使用する記録再生装置等の要求に応じて、磁気テープに記録された情報の内容等を記録する非接触式メモリ素子（ＭＩＣ）を、カートリッジケースの底面に対してその上面が４５度の角度をなすように配設する。【解決手段】カートリッジケースを構成する下ケース３にＭＩＣ３０の下端縁に当接する下端縁当接部と、下面に当接する下面当接部３７を設ける。上ケース２にはＭＩＣ３０の上面に当接する上面当接部３６を設ける。そしてこれら当接部と下ケース３の側壁３Ａとの間にＭＩＣ３０をその上面がカートリッジケースの底面３Ｂに対して４５度の角度をなすように配設する。【選択図】図１６
2010165453.tif 000002
【特許請求の範囲】
【請求項１】
下ケースおよび該下ケースの上部に重ね合わせる上ケースにより、磁気テープを巻装した単一のリールを回転可能に収容するカートリッジケースを備えた磁気テープカートリッジにおいて、
非接触式メモリ素子を、該メモリ素子の上面が前記カートリッジケースの底面に対して略４５度の角度をなすように保持する保持手段を前記カートリッジケース内に備え、
前記保持手段が、前記下ケースに設けられて前記メモリ素子の下端縁に当接する下端縁当接部と、前記下ケースに設けられて前記メモリ素子の下面に当接する下面当接部と、前記上ケースに設けられて前記メモリ素子の上面に当接する上面当接部と、を備え、
前記下端縁当接部と、前記下面当接部と、前記上面当接部と、前記下ケースの側壁との間に、前記メモリ素子が保持されることを特徴とする磁気テープカートリッジ。
【請求項２】
前記上面当接部は、前記上ケースの上面からカートリッジケースの内方に突設されていることを特徴とする請求項１記載の磁気テープカートリッジ。
【発明の詳細な説明】
【技術分野】
【０００１】
本発明は、磁気テープカートリッジに関し、特にカートリッジケース内に磁気テープが巻装された単一のリールを回転可能に収容する磁気テープカートリッジに関するものである。
【背景技術】
【０００２】
従来、コンピュータ等の外部記憶装置に用いられる記録媒体として使用されている磁気テープカートリッジには、単一のリールに磁気テープを巻装し、このリールをカートリッジケース内に回転自在に収容したタイプのものが知られている。この磁気テープはコンピュータ等のデータ保存用として用いられ、重要な情報が記憶されているため、テープジャミング等のトラブルが発生しないように、また不用意に磁気テープが引き出されないように構成されている。
【０００３】
また、このような磁気テープカートリッジには種々の情報が記録されるため、磁気テープから情報を読み出すことなく記録された情報の内容や磁気テープの種類等を特定するために、磁気テープカートリッジにメモリ素子が設けられる。このようなメモリ素子には半導体のチップが設けられており、磁気テープに記録された情報等が電磁誘導等の非接触方式にて記録され、メモリ素子に記録された内容は同様に非接触方式にて読み出されることとなる。
【先行技術文献】
【特許文献】
【０００４】
【特許文献１】実願平０２−０８８４５０号（実開平０４−０４９３８４号）のマイクロフィルム
【特許文献２】特開平９−２６５７５９号公報
【発明の概要】
【発明が解決しようとする課題】
【０００５】
このようなメモリ素子は磁気テープカートリッジの表面、あるいはカートリッジケース内のリールの回転を妨げない部分に設けられる。この場合、磁気テープカートリッジを使用する外部記憶装置等の記録再生装置において、メモリ素子に対して問題なく情報の読み書きを行うことができるように、上記メモリ素子は装置側の要求する角度で取り付ける必要がある。
【０００６】
本発明は上記事情に鑑み、磁気テープカートリッジを使用する装置からの要求に応じて、メモリ素子を、その上面がカートリッジケースの底面に対して４５度の角度をなすように取り付けることができる磁気テープカートリッジを提供することを目的とするものである。
【課題を解決するための手段】
【０００７】
本発明による磁気テープカートリッジは、下ケースおよび該下ケースの上部に重ね合わせる上ケースにより、磁気テープを巻装した単一のリールを回転可能に収容するカートリッジケースを備えた磁気テープカートリッジにおいて、
非接触式メモリ素子を、該メモリ素子の上面が前記カートリッジケースの底面に対して略４５度の角度をなすように保持する保持手段を前記カートリッジケース内に備え、前記保持手段が、前記下ケースに設けられて前記メモリ素子の下端縁に当接する下端縁当接部と、前記下ケースに設けられて前記メモリ素子の下面に当接する下面当接部と、前記上ケースに設けられて前記メモリ素子の上面に当接する上面当接部と、を備え、
前記下端縁当接部と、前記下面当接部と、前記上面当接部と、前記下ケースの側壁との間に、前記メモリ素子が保持されることを特徴とするものである。
【０００８】
前記上面当接部は、前記上ケースの上面からカートリッジケースの内方に突設されていることがこのましい。
【０００９】
なお、前記非接触式メモリ素子は矩形板状であることが取付け便宜上好ましい。
【００１０】
ここで、「メモリ素子の上面」とは、メモリ素子に対して情報を書き込む、あるいは情報を読み出し可能な面のことであり、この上面と反対側の面が下面となる。
【００１１】
「メモリ素子の下端縁」および「メモリ素子の上端縁」とは、メモリ素子における下ケースまたは上ケース側に向く縁部のことであり、「側端縁」とは、下端縁あるいは上端縁に対して垂直な側を向く縁部のことである。また、「端縁に当接する」とは、メモリ素子の上面あるいは下面における端縁近傍の領域に当接すること、および端縁自体に当接することの双方およびいずれか一方の場合をも含むものである。
【００１２】
また、前記保持手段は、前記メモリ素子と当接する部分に衝撃吸収材を取り付けてもよい。
【００１３】
ここで、「衝撃吸収材」とは、カートリッジを床に落としたときなどに、メモリ素子に衝撃を与えるのを防ぐクッション部材を意味するもので、例えば、ウレタンフォームのような弾性をもった多孔性樹脂や、風呂のタイル目地に使用される素材等いかなるクッション材をも使用することができる。
【発明の効果】
【００１４】
本発明の磁気テープカートリッジによれば、非接触式メモリ素子をカートリッジケースの底面に対して略４５度の角度をなすように保持する保持手段を設けたため、メモリ素子に対する情報の読み書きを行う装置において、メモリ素子の上面がカートリッジケースの底面に対して４５度の角度をなすように要求している場合に対応することができる。
【００１５】
また、保持手段を、下ケースに設けられてメモリ素子の下端縁に当接する下端縁当接部と、下ケースに設けられてメモリ素子の下面に当接する下面当接部と、上ケースに設けられてメモリ素子の上面に当接する上面当接部とから構成し、下端縁当接部と下面当接部と上面当接部と下ケースの側壁との間にメモリ素子を保持することにより、メモリ素子をその上面がカートリッジケースの底面に対して４５度の角度をなすように取り付けることができる。
【図面の簡単な説明】
【００１６】
【図１】本発明の実施形態による磁気テープカートリッジの構成を示す分解斜視図である。
【図２】ＭＩＣの構成を示す図である。
【図３】保持手段の第１の参考例の構成を示す図である。
【図４】本発明に含まれない第１の参考例における上下端縁当接部の構成を示す斜視図である。
【図５】第１の参考例の変形例を示す図である。
【図６】第１の参考例の他の変形例を示す図である。
【図７】第１の参考例のさらに他の変形例を示す図である。
【図８】保持手段の第２の参考例の構成を示す図である。
【図９】第２の参考例の詳細な構成を示す図である。
【図１０】第２の参考例の他の変形例を示す図である。
【図１１】保持手段の第３の参考例の構成を示す図である。
【図１２】第３の参考例における側端縁上下保持部の構成を示す図である。
【図１３】第３の参考例における側端縁下保持部の溝部の形状を示す図である。
【図１４】保持手段の第４の参考例の構成を示す図である。
【図１５】第４の参考例の変形例を示す図である。
【図１６】本発明に係る保持手段の実施形態の構成を示す図である。
【図１７】実施形態の詳細な構成を示す図である。
【図１８】本発明の変形例を示す図である。
【発明を実施するための形態】
【００１７】
以下、図面を参照して本発明の実施形態について説明する。
【００１８】
図１は本発明の実施形態による磁気テープカートリッジの構成を示す分解斜視図である。図１に示すように、本発明の実施形態による磁気テープカートリッジ１は、下リール５と上リール６とを超音波溶着により結合して形成され磁気テープ２０が巻装された単一のリール４を、上ケース２と下ケース３とがビス等により締結されてなるカートリッジケース７内に回動自在に収容して構成されている。
【００１９】
下リール５は、外周に磁気テープ２０が巻回される円筒状のリールハブ２３と、リールハブ２３の下端外周から径方向に張り出したフランジ部２４とを合成樹脂により一体成型したものである。リールハブ２３の底部外面には、リール４を回転駆動するマグネット式の回転駆動手段を接合させるためのリールプレート８が取り付けられており、リールハブ２３の底部内面には、ブレーキボタン９に形成された制止用ギア９Ａと係合して不使用時の回転を拘束する制止用ギア２３Ａが刻設されている。また、リールハブ２３には開口２３Ｂが形成されており、ここに磁気テープカートリッジ１を使用する外部記憶装置等の記録再生装置に設けられたドライブ解除スピンドルが挿通され、ブレーキボタン９を上方へ移動させる。
【００２０】
ここで、ブレーキボタン９には、リールハブ２３と対向する側に上述した制止用ギア９Ａが形成されており、それとは反対側に上ケース２に形成されたブレーキガイド突起が嵌合される嵌合溝９Ｂが形成されている。カートリッジ不使用時には、ブレーキボタン９はコイルバネ１０により図中下方に付勢された状態でリールハブ２３内部に装着されており、ブレーキボタン９とリールハブ２３との制止用ギア９Ａ，２３Ａが咬み合ってリール４の回転が防止されている。一方、カートリッジ使用時には、磁気テープ装置のドライブ解除スピンドルがブレーキボタン９を押圧することにより、ブレーキボタン９をコイルバネ１０の付勢力に抗して図中上方へ移動させ、これにより制止用ギア９Ａ，２３Ａの係合が解除され、リール４が回転自在とされる。
【００２１】
カートリッジケース７の一側壁には、磁気テープ２０を引き出すための開口部２６が形成されている。開口部２６にはカートリッジケース７の側壁に平行な矢印Ａ方向に移動可能なスライドドア２７が取り付けられている。スライドドア２７は不図示のバネにより、開口部２６を閉じる方向に付勢されている。
【００２２】
また、磁気テープカートリッジ１の不使用時には、磁気テープ２０は完全にリール４に巻き込まれており、磁気テープ２０の端部に取り付けられたリーダピン２１（磁気テープカートリッジ１を使用する記録再生装置が磁気テープ２０を装置内のテープ走行路に導入するための手段）は開口部２６の近傍に形成された凹部２８に係止されている。
【００２３】
そして、磁気テープカートリッジ１が対応する外部記録装置等の記録再生装置にセットされると、上述したようにブレーキボタン９とリールハブ２３との制止用ギア９Ａ，２３Ａの係止が解除されてリール４が回転自在とされるとともに、マグネット式の回転駆動手段がリールプレート８と接合してリール４を回転させる。これとともに、スライドドア２７が開かれてリーダピン２１がテープ走行路の所定位置に引き込まれ、磁気テープ２０へのデータの読み書きが可能となる。
【００２４】
一方、カートリッジケース７内における角部７Ａには、磁気テープ２０に記録された情報の内容等を記録するための非接触式メモリ素子（Memory In Cartridge 、以下ＭＩＣとする）３０が取り付けられる。ここで、ＭＩＣ３０は図２に示すように矩形の板状部材からなり、その上面３０Ａ側から情報の読み書きを電磁誘導等の手法により非接触で行うことができるものである。そして、記録再生装置に設けられた読取手段がＭＩＣ３０に対して問題なく情報の読み書きを行うことができるように、ＭＩＣ３０はその上面３０Ａがカートリッジケース７の底面に対して４５度の角度をなすようにカートリッジケース７内に保持される。なお、図２に示すように、ＭＩＣ３０において３０Ｂ，３０Ｃを上端縁、下端縁、３０Ｄ，３０Ｅを側端縁、３０Ｆを下面とする。以下このＭＩＣ３０をカートリッジケース７に保持する保持手段の構成について説明する。
【００２５】
図３は本発明に含まれない保持手段の第１の参考例の構成を示す図である。図３に示すように、保持手段の第１の参考例は、下ケース３に設けられてＭＩＣ３０の下端縁３０Ｃに当接する下端縁当接部３２と、上ケース２に設けられてＭＩＣ３０の上端縁３０Ｂに当接する上端縁当接部３１とからなる。
【００２６】
ここで、下端縁当接部３２は図４（ｂ），（ｃ）に示すように、下ケース３の底面３Ｂに設けられており、側壁３Ａに対して平行かつＭＩＣ３０の長手方向の長さを有する凹部３３、および凹部３３に連続して下ケース３の内方に突出する凸部３４からなる。そして、ＭＩＣ３０の下端縁３０Ｃと接する面３２ａと、凹部３３の両端面３３ａ，３３ｂとを備え、面３２ａによりＭＩＣ３０の下端縁３０Ｃを保持するとともに、両端面３３ａ，３３ｂによりＭＩＣ３０の側端縁３０Ｄ，３０Ｅを保持するものである。
【００２７】
一方、上端縁当接部３１は図４（ａ）に示すように、上ケース２の側壁２Ａからカートリッジケース７の内方に突設されており、ＭＩＣ３０の上端縁３０Ｂと接する面３１ａと、ＭＩＣ３０の上面３０Ａにおける上端縁近傍の部分に接する面３１ｂとを備え、これらの面３１ａ，３１ｂによりＭＩＣ３０の上端縁３０Ｂおよびその近傍を保持するものである。
【００２８】
このように保持手段を構成することにより、ＭＩＣ３０をその上面３０Ａがカートリッジケース７の底面３Ｂに対して４５度の角度をなすように取り付けることができる。また、ＭＩＣ３０の側端縁３０Ｄ，３０Ｅは凹部３３の両端面３３ａ，３３ｂにより保持されるため、ＭＩＣ３０の側壁３Ａに沿う方向の移動が阻止されるとともに、ＭＩＣ３０の組み込み時においてその位置決めを容易に行うことができる。
【００２９】
なお、第１の参考例における上端縁当接部３１および下端縁当接部３２の形状は、例えば図５（ａ），（ｂ）に示すような形状とすることができる。また、図６に示すように、上端縁当接部３１および下端縁当接部３２をＭＩＣ３０の上端縁３０Ｂおよび下端縁３０Ｃにのみ当接し、上面３０Ａには当接しないように構成することもできる。これにより、ＭＩＣ３０の上面３０Ａの端縁にまで半導体を設けることができる。また、第１の参考例においては、上端縁当接部３１を上ケース２を補強するためのリブと兼用させることもでき、これにより上ケース２に保持手段を別個に構成する必要がなくなって、磁気テープカートリッジ１の構成を簡易なものとして製造を容易に行うことができる。
【００３０】
さらに、図７に示すように、下ケース３の底面３Ｂに、側壁３Ａに対して平行かつＭＩＣ３０の長手方向の長さを有する凹部３３のみを形成してＭＩＣ３０の下端縁３０Ｃを保持するようにしてもよい。
【００３１】
次いで、図８は本発明に含まれない保持手段の第２の参考例を示す図である。図８に示すように、保持手段の第２の参考例は、下ケースの底面３Ｂに設けられてＭＩＣ３０の下端縁３０Ｃを保持する下端縁当接部３２と、下ケース３の側壁３Ａの上ケース２との当接部分に設けられてＭＩＣ３０の上端縁３０Ｂに当接する凹部からなる上端縁当接部３１とからなる。
【００３２】
ここで、下端縁当接部３２は図９に示すように、下ケース３の底面３Ｂに設けられ、ＭＩＣ３０の下端縁３０Ｃおよび側端縁３０Ｄ，３０Ｅの一部を保持するＬ字状および逆Ｌ字状の部材３２Ａ，３２Ｂからなる。一方、凹部からなる上端縁当接部３１は下ケース３の側壁３Ａにおける上ケース２に当接する部分に形成されており、ＭＩＣ３０より僅かに大きい長さを有するものである。また、上端縁当接部３１にはＭＩＣ３０の上端縁側下面３０と接する面３１ａと、側端縁３０Ｄ，３０Ｅの上端縁側と接する面３１ｂ，３１ｃとが形成される。
【００３３】
このように保持手段を構成することにより、ＭＩＣ３０をその上面３０Ａがカートリッジケース７の底面３Ｂに対して４５度の角度をなすように取り付けることができる。また、ＭＩＣ３０の側端縁３０Ｄ，３０Ｅは下端縁当接部３２および上端縁当接部３１の面３１ｂ，３１ｃにより保持されるため、ＭＩＣ３０の側壁３Ａに沿う方向の移動が阻止されるとともに、ＭＩＣ３０の組み込み時においてその位置決めを容易に行うことができる。また、上端縁３０Ｂを保持する部材を新たに設ける必要がないため、カートリッジケース７の構成を簡易なものとして製造を容易に行うことができる。
【００３４】
また、第２の参考例においては下端縁当接部３２として２つの部材３２Ａ，３２Ｂを用いているが、１つの部材のみを用いてもＭＩＣ３０を保持することができる。また、第２の参考例においては下ケース３のみに凹部を形成しているが、図１０に示すように下ケース３に形成された凹部の上下方向の深さを浅くして上ケース２にも凹部を形成することにより、両凹部でＭＩＣ３０の上端縁３０Ｂを保持することもできる。
【００３５】
次いで、図１１は本発明に含まれない保持手段の第３の参考例を示す図である。図１１に示すように、保持手段の第３の参考例は、下ケース３に設けられてＭＩＣ３０の側端縁３０Ｄ，３０Ｅを保持する側端縁下保持部４１と、上ケース２に設けられてＭＩＣ３０の側端縁３０Ｄ，３０Ｅを保持する側端縁上保持部４２とからなる。
【００３６】
ここで、側端縁下保持部４１は図１２（ａ）に示すように、下ケース３の側壁３Ａおよび底面３Ｂとの境界部分に立設され、下ケース３の底面３Ｂに対して４５度の角度をなす面４３Ａ，４３Ｂを有する保持部４１Ａ，４１Ｂからなり、面４３Ａ，４３ＢにＭＩＣ３０の側端縁３０Ｄ，３０Ｅが嵌合する凹部４５Ａ，４５Ｂが形成されている。
【００３７】
一方、側端縁上保持部４２は図１２（ｂ）に示すように、上ケース２の側壁２Ａおよび上面２Ｂとの境界部分に立設され、上ケース２の上面２Ｂに対して４５度の角度をなす面４４Ａ，４４Ｂを有する保持部４２Ａ，４２Ｂからなり、面４４Ａ，４４ＢにＭＩＣ３０の側端縁３０Ｄ，３０Ｅが嵌合する凹部４６Ａ，４６Ｂが形成されている。なお、図１２（ｂ）においては側壁２Ａを省略している。そして、側端縁下保持部４１の凹部４５Ａ，４５Ｂおよび側端縁上保持部４２の凹部４６Ａ，４６Ｂに、図１２（ｃ）に示すようにＭＩＣ３０の側端縁３０Ｄ，３０Ｅが嵌合されて、ＭＩＣ３０が両保持部材４１，４２に保持される。
【００３８】
なお、この場合、側端縁下保持部４１の凹部４５Ａ，４５Ｂの形状は、図１３（ａ），（ｂ）に示すように、下ケース３を成形する際に金型から抜き取りやすい形状とすることが好ましい。また、側端縁上保持部４２の凹部４６Ａ，４６Ｂの形状についても同様に金型から抜き取りやすい形状とすることが好ましい。
【００３９】
このように保持手段を構成することにより、ＭＩＣ３０をその上面３０Ａがカートリッジケース７の底面３Ｂに対して４５度の角度をなすように取り付けることができる。また、ＭＩＣ３０の側端縁３０Ｄ，３０Ｅは両保持部４１，４２の凹部４５Ａ，４５Ｂ，４６Ａ，４６Ｂに嵌合されるため、ＭＩＣ３０の側壁３Ａに沿う方向の移動が阻止されるとともに、ＭＩＣ３０の組み込み時においてその位置決めを容易に行うことができる。また、第３の参考例においては、側端縁下保持部４１および側端縁上保持部４２を下ケース３および上ケース２を補強するためのリブと兼用させることもでき、これにより保持手段を別個に構成する必要がなくなって、磁気テープカートリッジ１の構成を簡易なものとして製造を容易に行うことができる。
【００４０】
また、第３の参考例においては側端縁上保持部４２に凹部４６Ａ，４６Ｂを形成しているが、側端縁下保持部４１の凹部４５Ａ，４５Ｂの深さをＭＩＣ３０の厚さと略同一とすることにより、側端縁上保持部４２の凹部４６Ａ，４６Ｂを省略することもできる。
【００４１】
次いで、図１４は本発明に含まれない保持手段の第４の参考例を示す図である。図１４に示すように、保持手段の第４の参考例は、下ケース３に設けられてＭＩＣ３０の下端縁３０Ｃに当接する下端縁当接部３２と、上ケース２および下ケース３に設けられてＭＩＣ３０の上端縁３０Ｂに当接する上端縁当接部３１とからなり、上端縁当接部３１および下端縁当接部３２はともに衝撃吸収材により形成されている。
【００４２】
ここで、下端縁当接部３２は図１４に示すように、下ケース３の底面３Ｂに設けられており、側壁３Ａに対して平行かつＭＩＣ３０の長手方向の長さを有する凹部からなり、ＭＩＣ３０の下端縁３０ＣおよびＭＩＣ３０の下面３０Ｆにおける下端縁近傍の部分に当接する。そして、下端縁当接部３２はカートリッジケース７の内方への高さをもち、ＭＩＣ３０の下端縁３０Ｃおよびその近傍をカートリッジケース７の底面３Ｂから離して保持するものである。
【００４３】
一方、上端縁当接部３１は図１４に示すように、上ケース２の側壁２Ａからカートリッジケース７の内方に突設されＭＩＣ３０の上端縁３０Ｂおよび上面３０Ａにおける上端縁近傍の部分に当接する部材３１Ａと、下ケース３の側壁３Ａからカートリッジケース７の内方に突設されＭＩＣ３０の下面３０Ｆにおける上端縁近傍の部分に当接する部材３１Ｂとからなる。そして、両部材３１Ａ，３１Ｂともにカートリッジケース７の内方への高さもち、ＭＩＣ３０の上端縁３０Ｂおよびその近傍をカートリッジケース７の側壁２Ａ，３Ａから離して保持するものである。
【００４４】
このように保持手段を構成することにより、ＭＩＣ３０をその上面３０Ａがカートリッジケース７の底面３Ｂに対して４５度の角度をなすように取り付けることができる。また、上端縁当接部３１および下端縁当接部３２はともに衝撃吸収材により形成されており、かつ上端縁当接部３１の部材３１Ａ，３１Ｂおよび下端縁当接部３２はともにカートリッジケース７の内方への高さもち、ＭＩＣ３０をカートリッジケース７から離して保持するため、外部からケースに加えられた衝撃からメモリ素子を保護することができ、これによりケースの振動や落下等によるメモリ素子の破損を防止することができる。なお、このように保持手段がＭＩＣ３０の側端縁３０Ｄまたは３０Ｅに当接しない場合は、ＭＩＣ３０がその長手方向に対して移動しないように、側端縁３０Ｄおよび３０Ｅに当接するストッパー部材を設けてもよい。
【００４５】
また、上端縁当接部３１および下端縁当接部３２の形状は上述した図１４に示すものに限定されるものではなく、例えば図１５（ａ）に示すような任意の形状とすることができる。また、図１５（ｂ），（ｃ）に示すようにＭＩＣ３０の下面３０Ｆ全体に当接する部材３２Ｂを設けてもよく、図１５（ｄ）に示すように上端縁当接部３１および下端縁当接部３２を一体とした保持部材３５を設けてもよい。
【００４６】
次いで、本発明に係る保持手段の実施形態について説明する。図１６は保持手段の実施形態の構成を示す図であり、磁気テープカートリッジ１を組み立てた状態における図１のＩ−Ｉ線断面図である。図１６に示すように、保持手段の実施形態は、下ケース３に設けられてＭＩＣ３０の上端縁３０Ｂに当接する上端縁当接部３１と、上ケース２に設けられてＭＩＣ３０の上面３０Ａに当接する上面当接部３６および下ケース３に設けられてＭＩＣ３０の下面３０Ｆに当接する下面当接部３７からなる。そして、下ケース３にはさらに、ＭＩＣ３０の下端縁３０Ｃを案内するガイド板５０（下端縁当接部）を設けている。
【００４７】
ここで、図１７に示すように、上端縁当接部３１は下ケース３の側壁３Ａからカートリッジケース７の内方に突設され、ＭＩＣ３０の下面３０Ｆにおける上端縁近傍の部分に接する面を備えており、下面当接部３７は下ケース３の底面３Ｂに突設され、ＭＩＣ３０の下面３０Ｆに接する面を備えている。また、上面当接部３６は図１６に示すように、上ケース２の上面２Ｂからカートリッジケース７の内方に突設されており、ＭＩＣ３０の上面３０Ａに接する面３６ａを備えている。そして、ガイド板５０は図１７に示すように、下ケース３の底面３Ｂに突設され、上端縁当接部３１および下面当接部３７に向けて落としこまれたＭＩＣ３０を両当接部３１，３７に保持される位置まで案内する傾斜面５０ａを備えている。
【００４８】
このように保持手段を構成することにより、カートリッジケース７の底面３Ｂを水平にした状態で、その上面３０Ａを略水平に保った位置から落下させるだけで、ＭＩＣ３０をその上面３０Ａがカートリッジケース７の底面３Ｂに対して４５度の角度をなすように取り付けることができるとともに、上面当接部３６がＭＩＣ３０を上方から押さえ、その上面３０Ａがカートリッジケース７の底面３Ｂに対して４５度の角度をなす位置に確実に保持することができる。
【００４９】
なお、下面当接部３７は、ＭＩＣ３０の下面３０Ｆ全面に当接する形状としてもよく、また、ガイド板５０は、その傾斜面５０ａがＭＩＣ３０の長手方向の幅をもちＭＩＣ３０の下端縁３０Ｃ全体を案内する形状としてもよい。
【００５０】
また、上述した保持手段の第１から第３の参考例および本発明の実施形態においては、保持手段のＭＩＣ３０と当接する部分に衝撃吸収材を取り付けてもよい。
【００５１】
さらに、上述した保持手段の第１から第４の参考例および本発明の実施形態においては、ＭＩＣ３０を保持する際に若干ガタが生じるおそれがあるため、ＭＩＣ３０を接着剤により保持手段に固定してガタをなくすようにしてもよい。
【００５２】
なお、本発明における保持手段は、上述した実施形態のものに限定されるものではなく、ＭＩＣ３０の上面３０Ａをカートリッジケース７の底面３Ｂに対して略４５度の角度で保持することができれば、種々の構成をとることができるものである。例えば、上記実施形態においては、ＭＩＣ３０の上端縁３０Ｂおよび下端縁３０Ｃをケース２，３の側壁２Ａ，３Ａに対して平行に設けているが、図１８に示すように、カートリッジケース７の角部において側壁２Ａ，３Ａに対して４５度の角度をなすように設けてもよい。また、ＭＩＣ３０を設ける位置はカートリッジケース７の角部７Ａに限定されるものではなく、他の角部に設けてもよい。
【符号の説明】
【００５３】
１    磁気テープカートリッジ
２    上ケース
３    下ケース
４    リール
７    カートリッジケース
３０    ＭＩＣ
３１    上端縁当接部
３２    下端縁当接部
３６    上面当接部
３７    下面当接部
４１    側端縁下保持部
４２    側端縁上保持部
５０    ガイド板
【図１】
2010165453.tif 000003
【図２】
2010165453.tif 000004
【図３】
2010165453.tif 000005
【図４】
2010165453.tif 000006
【図５】
2010165453.tif 000007
【図６】
2010165453.tif 000008
【図７】
2010165453.tif 000009
【図８】
2010165453.tif 000010
【図９】
2010165453.tif 000011
【図１０】
2010165453.tif 000012
【図１１】
2010165453.tif 000013
【図１２】
2010165453.tif 000014
【図１３】
2010165453.tif 000015
【図１４】
2010165453.tif 000016
【図１５】
2010165453.tif 000017
【図１６】
2010165453.tif 000018
【図１７】
2010165453.tif 000019
【図１８】
2010165453.tif 000020